(57)【要約】  生物サンプルを２つの異なる環境の間で輸送するために保管するシステムが提供される。このシステムは、第一の容器内部を画定する第一の容器（１２）と、第二の容器内部を画定する第二の容器（３２）と、を備える。第一の容器の開放端を密閉するための第一の閉鎖手段（２２）が用意され、この第一の閉鎖手段は、サンプルホルダを受けるようになされている。また、第二の容器の開放端を密閉するための第二の閉鎖手段（４２）も用意される。第一の容器は、第一の閉鎖手段が第一の容器の開放端を密閉したときに、サンプルホルダを取り外し自在に受け入れるようになされ、第二の容器は、第一の閉鎖手段が第二の容器の開放端を密閉したときに、第一の容器に続いて同じサンプルホルダを受け入れるようになされている。
2011501197.tif 000002
【特許請求の範囲】
【請求項１】
閉鎖端と、開放端と、前記閉鎖端と前記開放端との間に延在して第一の容器内部を画定する側壁と、を有する第一の容器と、
閉鎖端と、開放端と、前記閉鎖端と前記開放端との間に延在して第二の容器内部を画定する側壁と、を有する第二の容器と、
第一の時期において前記第一の容器の前記開放端を閉鎖し、第二の時期において前記第二の容器の前記開放端を閉鎖するための第一の閉鎖手段であって、サンプルホルダを受けるようになされた第一の閉鎖手段と、
前記第二の容器の前記開放端を閉鎖するための第二の閉鎖手段と、
を備える部品キットであって、
前記第一の容器内部は、前記第一の閉鎖手段が前記第一の容器の前記開放端を閉鎖したときに前記サンプルホルダを取り外し自在に受けるようになされており、前記第二の容器内部は、前記第一の閉鎖手段が前記第二の容器の前記開放端を閉鎖したときに、前記第一の容器内部に続いて、同じ前記サンプルホルダを受けるようになされていることを特徴とする部品キット。
【請求項２】
前記サンプルホルダは、生物サンプルを保持するための内部空洞を画定する閉鎖可能なハウジングを有し、前記ハウジングは、前記第一の容器と前記第二の容器の内の少なくとも一方に収容された流体が前記内部空洞へと流れることができるようになされた複数の流体開口部を有することを特徴とする請求項１に記載のキット。
【請求項３】
前記サンプルホルダは組織学カセットであることを特徴とする請求項１に記載のキット。
【請求項４】
前記サンプルホルダは、前記第一の閉鎖手段に関して回転可能であることを特徴とする請求項１に記載のキット。
【請求項５】
前記第一の閉鎖手段の少なくとも一部と前記第一の容器の少なくとも一部は、それらの間でねじ係合するようになされていることを特徴とする請求項１に記載のキット。
【請求項６】
前記第二の閉鎖手段は取り外し可能な膜であることを特徴とする請求項１に記載のキット。
【請求項７】
前記第一の閉鎖手段は、前記第二の容器の開放端を閉鎖するために前記第二の容器と係合可能であることを特徴とする請求項１に記載のキット。
【請求項８】
前記第一の閉鎖手段の少なくとも一部と前記第二の容器の少なくとも一部は、それらの間でねじ係合するようになされていることを特徴とする請求項７に記載のキット。
【請求項９】
前記第一の閉鎖手段は前記第一の容器の前記開放端と係合可能であり、前記第一の閉鎖手段は、前記第一の容器に続いて前記第二の容器の前記開放端と係合可能であることを特徴とする請求項８に記載のキット。
【請求項１０】
前記第一の容器と前記第二の容器の内の少なくとも一方は、前記第一の容器を前記第二の容器と区別するための視覚的標識を有することを特徴とする請求項１に記載のキット。
【請求項１１】
前記第一の容器の前記内部は第一の予定充填容量を画定し、前記第二の容器の前記内部は第二の予定充填容量を画定し、前記第二の予定充填容量は前記第一の予定充填容量と異なることを特徴とする請求項１に記載のキット。
【請求項１２】
閉鎖端と、開放端と、前記閉鎖端と前記開放端との間に延在して第一の容器内部を画定する側壁と、を有する第一の容器と、
閉鎖端と、開放端と、前記閉鎖端と前記開放端との間に延在して第二の容器内部を画定する側壁と、を有する第二の容器と、
前記第一の容器の前記開放端を閉鎖するための第一の閉鎖手段であって、サンプルホルダを受けるようになされた底面を有する第一の閉鎖手段と、
前記第二の容器の前記開放端を閉鎖するための第二の閉鎖手段と、
前記第一の容器の中に入れられた第一の溶液と、
前記第二の容器の中に入れられた第二の溶液であって、前記第一の溶液とは異なる第二の溶液と、
を備える、生物サンプルを保管し保存するためのシステムであって、
前記第一の閉鎖手段は、前記第一の閉鎖手段が前記第一の容器の前記開放端を閉鎖したときに前記サンプルホルダを前記第一の容器内部に配置するようになされており、前記第一の閉鎖手段は、前記第一の閉鎖手段が前記第二の容器の前記開放端を閉鎖したときに、前記第一の容器内部に続いて前記第二の容器内部に前記サンプルホルダを配置するようになされていることを特徴とするシステム。
【請求項１３】
前記サンプルホルダは、生物サンプルを保持するための内部空洞を画定する閉鎖可能なハウジングを有し、前記ハウジングは、前記第一の容器と前記第二の容器の内の少なくとも一方に収容されている流体が前記内部空洞の中に流れることができるようになされている複数の流体開口部を有することを特徴とする請求項１２に記載のシステム。
【請求項１４】
前記サンプルホルダは組織学カセットであることを特徴とする請求項１２に記載のシステム。
【請求項１５】
前記サンプルホルダは、前記第一の閉鎖手段に関して回転自在であることを特徴とする請求項１２に記載のシステム。
【請求項１６】
前記第二の閉鎖手段は取り外し可能な膜であることを特徴とする請求項１２に記載のシステム。
【請求項１７】
閉鎖端と、開放端と、前記閉鎖端と前記開放端との間に延在して容器内部を画定する側壁と、を有する容器であって、前記容器内部の一部がサンプルホルダ用空洞を画定する容器と、
前記容器の前記開放端を閉鎖するための閉鎖手段と、
サンプルホルダを受けるようになされ、前記閉鎖手段と回転自在に係合するプラットフォームと、
を備える、生物サンプルを保管し保存するためのアセンブリであって、
前記サンプルホルダ用空洞は、前記閉鎖手段が前記容器の前記開放端と係合したときに前記サンプルホルダを受けるようになされていることを特徴とするアセンブリ。
【請求項１８】
前記閉鎖手段は、前記閉鎖手段が前記容器の前記開放端から外れている離脱位置から、前記閉鎖手段が前記容器の前記開放端を閉鎖する係合位置へと移動可能であり、前記閉鎖手段が前記離脱位置から前記係合位置に移動するためには、前記プラットフォームが前記サンプルホルダ用空洞と同じ位置で整合しなければならないことを特徴とする請求項１７に記載のアセンブリ。
【請求項１９】
前記容器内部に関する前記プラットフォームの向きは、前記容器に関する前記閉鎖手段の回転中にも略固定して保たれることを特徴とする請求項１７に記載のアセンブリ。
【請求項２０】
閉鎖端と、開放端と、前記閉鎖端と前記開放端との間に延在して第一の容器内部を画定する側壁と、を有する第一の容器であって、前記第一の容器内部の中に第一の溶液が入れられている第一の容器を用意するステップと、
閉鎖端と、開放端と、前記閉鎖端と前記開放端との間に延在して第二の容器内部を画定する側壁と、を有する第二の容器であって、前記第二の容器内部の中に前記第一の溶液とは異なる第二の溶液が入れられている第二の容器を用意するステップと、
前記第一の容器の前記開放端を閉鎖するために前記第一の容器に第一の閉鎖手段を係合させるステップであって、前記第一の閉鎖手段は生物サンプルを収容するサンプルホルダを有し、前記第一の閉鎖手段は前記第一の溶液の中に前記生物サンプルを浸漬させるようになされている、ステップと、
前記第二の容器の前記開放端を閉鎖するために前記第一の閉鎖手段を前記第二の容器と係合させるステップであって、前記第一の閉鎖手段は、前記生物サンプルを前記第一の溶液に浸漬させた後に、前記生物サンプルを前記第二の溶液に浸漬させるようになされている、ステップと、
を含むことを特徴とする生物サンプルを保管し保存する方法。
【発明の詳細な説明】
【技術分野】
【０００１】
［関連出願との相互参照］
本願は、２００７年１０月２３日出願の”Ｃｏｎｔａｉｎｅｒ  Ｓｙｓｔｅｍ  ｆｏｒ  Ｔｉｓｓｕｅ  Ｓｔａｂｉｌｉｚａｔｉｏｎ  ｆｏｒ  Ｍｏｌｅｃｕｌａｒ  ａｎｄ  Ｈｉｓｔｏｐａｔｈｏｌｏｇｙ  Ｄｉａｇｎｏｓｔｉｃｓ”と題する米国特許仮出願第６０／９８２，０２５号の優先権を主張するものであり、引用により同出願の全開示内容を本願に援用する。
【０００２】
本発明は、生物組織サンプルを保管するための容器システムに関する。特に、本発明は１種類の試薬あるいは、希望に応じて複数の試薬内に、生物組織サンプルを保管するための２個組容器システム(a two container system)に関する。
【背景技術】
【０００３】
生物サンプルは、研究者または臨床医により、特定の病気の存在を判断し、その病気のための適切な治療法を決定する診断的評価のためにごく頻繁に採取される。このようなサンプルはまた、分子診断および核酸分析、特に各種病気の治療のための研究において一般的に行われるようになったＲＮＡ、ＤＮＡ分析用として採取される。高精度のＲＮＡおよびＤＮＡ分析を行うために必要不可欠な条件は、生物サンプル中に高品質で完全な状態のＲＮＡとＤＮＡが存在することである。
【０００４】
多くの場合、患者または採取源からサンプルを採取した直後に組織学的または細胞学的分析を実施し、サンプルの保管中に発生しうる分子の変化を回避している。このような変化、例えば遺伝子転写等の原因は、未処理のサンプルが特定の環境ストレスを受けることによるサンプル内の核酸の劣化である。しかしながら、サンプル収集直後にサンプル分析を実施することが不可能または非現実的である場合も多くある。したがって、サンプルを管理された条件下に特定の時間にわたって保管しながらも、サンプルの構造や分子の完全性が維持されるようなシステムを提供することが必要である。
【０００５】
従来、上記のような保管を実現するための１つの方法は、サンプルを単独の固定試薬の中に浸漬することであった。代表的な固定試薬は１０パーセント（％）ホルマリンであるが、水混和性アルコール、エタノール／アセトン混合物およびエタノール／酢酸混合物でもよい。この種の保管に使用される容器は一般に、特定の生物サンプルを処理するのに有効な量の試薬を収容できる、単独の一体的空洞からなるものであった。生物サンプルを試薬と共に容器内に入れ、容器を閉じると、サンプルは固定剤により保存された状態で保管、輸送することができた。このような容器の一例は、特許文献１に記載されている。
【先行技術文献】
【特許文献】
【０００６】
【特許文献１】米国特許第７，１４７，８２６号明細書ヘイウッド他
【特許文献２】米国特許第４，２２０，２５２号明細書ビール(Beall)他
【特許文献３】米国特許第４，０３４，８８４号明細書ホワイト他
【発明の概要】
【発明が解決しようとする課題】
【０００７】
これらの容器は業界内で一定の成功を見ているものの、いくつかの制約がある。
【課題を解決するための手段】
【０００８】
ある実施形態において、本発明は、閉鎖端と、開放端と、閉鎖端と開放端との間に延在して第一の容器内部を画定する側壁と、を有する第一の容器を含む部品キットを提供する。このキットは、閉鎖端と、開放端と、閉鎖端と開放端との間に延在して第二の容器内部を画定する側壁と、を有する第二の容器を含む。このキットはさらに、第一の時期に第一の容器の開放端を閉鎖し、第二の時期に第二の容器の開放端を閉鎖する第一の閉鎖手段を含み、第一の閉鎖手段は、サンプルホルダを受け入れるようになされている。このキットはさらに、第二の容器の開放端を閉鎖するための第二の閉鎖手段を含む。第一の容器内部は、第一の閉鎖手段が第一の容器の開放端を閉鎖したときに、サンプルホルダを取り外し自在に受け入れるようになされている。第二の容器内部は、第一の閉鎖手段が第二の容器の開放端を閉鎖したときに、同じサンプルホルダを第一の容器内部に続いて受け入れるようになされている。
【０００９】
任意で、サンプルホルダは、生物サンプルを保持するための内部空洞を画定する閉鎖可能なハウジングを有する。ハウジングは、第一のチャンバと第二のチャンバの内の少なくとも一方に収容されている流体が内部空洞へと通過できるようになされた複数の流体開口部を有していてもよい。別の構成では、サンプルホルダは組織学カセットである。サンプルホルダは、第一の閉鎖手段に関して回転自在であってもよい。
【００１０】
別の構成において、第一の閉鎖手段の少なくとも一部と第一の容器の少なくとも一部は、両者間がねじ係合するようになされている。任意で、第二の閉鎖手段は取り外し自在な膜である。第一の閉鎖手段は、第二の容器と係合して、第二の容器の開放端を閉鎖できるものであってもよい。第一の閉鎖手段の少なくとも一部と第二の容器の少なくとも一部は、両者間がねじ係合するようになされていてもよい。第一の閉鎖手段は第一の容器の開放端と係合可能であり、第一の閉鎖手段は、第一の容器に続いて第二の容器の開放端と係合可能であってもよい。
【００１１】
さらに、第一の容器と第二の容器の内の少なくとも一方は、第一の容器を第二の容器と区別するための視覚的な標識を備えていてもよい。別の構成では、第一の容器内部は第一の予定充填容量を画定し、第二の容器内部は第二の予定充満容量を画定し、第二の予定充満容量は第一の予定充満容量と異なる。
【００１２】
本発明の別の実施形態において、生物サンプルを保管し保存するためのシステムは、閉鎖端と、開放端と、閉鎖端と開放端との間に延在して第一の容器内部を画定する側壁と、を有する第一の容器を備える。このシステムは、閉鎖端と、開放端と、閉鎖端と開放端との間に延在して第二の容器内部を画定する側壁と、を有する第二の容器を備える。このシステムはまた、第一の容器の開放端を閉鎖する第一の閉鎖手段を備える。第一の閉鎖手段は、サンプルホルダを受けるようになされている底面を有する。このシステムは、第二の容器の開放端を閉鎖する第二の閉鎖手段をさらに備える。第一の溶液が第一の容器の中に入れられ、第二の溶液が第二の容器の中に入れられ、第一と第二の溶液は異なる。第一の閉鎖手段は、第一の閉鎖手段が第一の容器の開放端を閉鎖したときにサンプルホルダを第一の容器の中に入れるようになされており、第一の閉鎖手段は、第一の閉鎖手段が第二の容器の開放端を閉鎖したときに、サンプルホルダを第一の容器に続いて第二の容器の中に入れるようになされている。
【００１３】
サンプルホルダは、生物サンプルを保持するための内部空洞を画定する閉鎖可能なハウジングを備えていてもよく、ハウジングは、第一のチャンバと第二のチャンバの内の少なくとも一方に収容されている流体が内部空洞の中へと通過できるようなされた複数の流体用開口部を有する。別の構成において、サンプルホルダは組織学用カセットである。任意で、システムは、第一の閉鎖手段に関して回転自在である。また別の実施形態では、第二の閉鎖手段は取り外し可能な膜である。
【００１４】
本発明の他の実施形態において、生物サンプルを保管し保存するためのアセンブリは、閉鎖端と、開放端と、閉鎖端と開放端との間に延在して容器内部を画定する側壁と、を有する容器を備える。容器内部の一部はサンプルホルダ用空洞を画定する。このアセンブリはまた、容器の開放端を閉鎖するための閉鎖手段を備える。サンプルホルダを受けるようになされたプラットフォームは、閉鎖手段と回転自在に係合する。サンプルホルダ用空洞は、閉鎖手段が容器の開放端と係合したときに、サンプルホルダを受け入れるようになされている。
【００１５】
ある構成において、閉鎖手段は、閉鎖手段が容器の開放端から外れている離脱位置から、閉鎖手段が容器の開放端を閉鎖する係合位置へと移動可能である。ある具体的な構成において、プラットフォームがサンプルホルダ用空洞と位置合わせされていないと、閉鎖手段は離脱位置から係合位置へと移動できない。任意で、容器内部に関するプラットフォームの方位は、容器に関する閉鎖手段の回転中も略一定のままである。
【００１６】
本発明のさらに別の実施形態において、生物サンプルを保管し保存するための方法は、閉鎖端と、開放端と、閉鎖端と開放端との間に延在して第一の容器内部を画定する側壁と、を有し、第一の溶液が第一の容器内部の中に入れられている第一の容器を用意するステップを含む。この方法はまた、閉鎖端と、開放端と、閉鎖端と開放端との間に延在して第二の容器内部を画定する側壁と、を有し、第二の溶液が第二の容器内部に入れられている第二の容器を用意するステップを含む。第二の溶液は、第一の容器と異なる。この方法はまた、第一の閉鎖手段を第一の容器と係合させて、第一の容器の開放端を閉鎖するステップを含む。第一の閉鎖手段は、中に生物サンプルを収容するサンプルホルダを有し、第一の溶液に生物サンプルを浸漬するようになされている。この方法は、第一の閉鎖手段を第二の容器に係合させて、第二の容器の開放端を閉鎖するステップをさらに含む。第一の閉鎖手段はさらに、生物サンプルを第一の溶液に浸漬させた後に、前記生物サンプルを第二の溶液に浸漬させるようになされている。
【００１７】
本発明の詳細と利益は、以下の詳細な説明を添付の図面と併せて読むことによって明らかとなるであろう。図中、全体を通じて同様の部品には同様の参照番号が付されている。
【図面の簡単な説明】
【００１８】
【図１】本発明の１つの実施形態による容器システムの斜視図である。
【図２】第一の容器内部が示されている、図１のシステムの第一の容器と第二の閉鎖手段の斜視図である。
【図３】第一の閉鎖手段を取り付けた状態の、図１のシステムの第一の容器の底面斜視図である。
【図４】第二の容器内部が示されている、図１のシステムの第二の容器と第二の閉鎖手段の斜視図である。
【図５】第二の閉鎖手段を取り付けた状態の、図１のシステムの第二の容器の底面斜視図である。
【図６】本発明の１つの実施形態において、サンプルホルダを第一の閉鎖手段に連結するプラットフォームの斜視図である。
【図７Ａ】サンプルホルダの１つの実施形態の開放状態を示す斜視図である。
【図７Ｂ】サンプルホルダの１つの実施形態の閉鎖状態を示す斜視図である。
【図８】サンプルホルダがプラットフォームと枢動連結によって第一の閉鎖手段に回転自在に連結される、図１の第一の閉鎖手段の分解図である。
【図９】ねじ山の設けられた部材が配置されている様子を示す、図１の第一の閉鎖手段の底面斜視図である。
【図１０】ねじ山の設けられた部材が配置されている様子を示す、図１の第二の閉鎖手段の底面斜視図である。
【図１１Ａ】本発明に関して使用されるプラットフォームの別の実施形態の斜視図である。
【図１１Ｂ】図１１Ａのプラットフォームの前面図である。
【図１１Ｃ】図１１Ｂの線１１Ｃ−１１Ｃで切ったプラットフォームの側面断面図である。
【図１１Ｄ】図１１Ａのプラットフォームの側面図である。
【図１１Ｅ】図１１Ａのプラットフォームの上面図である。
【発明を実施するための形態】
【００１９】
以下の説明において、空間的方位を表す用語が使用されている場合、これは、添付の図面に描かれ、またはその他、以下の詳細な説明の中に記載されている参照実施形態の方位に関するものである。しかしながら、以下に紹介する実施形態は、さまざまな変化形や実施態様を採ることができると理解するべきである。また、添付の図面に描かれ、本明細書に記載されている具体的な機器は単に例に過ぎず、限定するものと考えるべきではないと理解するべきである。
【００２０】
本発明の容器システムによれば、生物サンプル、例えば分子および組織学的診断、特に組織病理学試験のための組織サンプル等の保管が可能となる。特に、この容器システムは、各種の試薬溶液を収容するための複数の容器を備え、組織サンプルを収容するサンプルホルダを受け入れるようになされており、組織サンプルを複数の容器のうちの１つまたは複数の間で移動させることができる。このような組織サンプルの移動は、複数の容器の全てが組織サンプルホルダの取り付けられる閉鎖手段を受け入れられるようになされているため、組織サンプルホルダを容器の内の１つの閉鎖手段に連結することによって行ってもよい。
【００２１】
例えば、容器システムは、第一の容器と第二の容器を備えていてもよく、各容器は、開放端と、閉鎖端と、開放端と閉鎖端との間に延在して容器内部を画定する側壁と、を備えてなる。したがって、液体媒体を容器の内の少なくとも１つ、例えば第二の容器に入れてもよい。このようにして、例えば第一の容器の中に入れられた組織サンプルを取り扱い、処理してから、組織を第二の容器の中の溶液と接触させることができる。本明細書内で詳しく説明するように、本発明の１つの実施形態において、第一の容器は空の保管用容器としてもよく、第二の容器に、病理診断のためにサンプルを固定させる組織固定剤としての試薬をはじめとする液体媒体を入れてもよい。このようにして、２つの容器をサンプリングキットとして提供してもよく、組織サンプルを第一の容器の中に入れ、希望に応じて、後にサンプルを第二の容器に移し替えて、組織サンプルを第二の容器の中の溶液と流体接触させてもよい。あるいは、第一の容器には試薬を入れ、第二の容器を空にしてもよく、組織サンプルをまず試薬の入った第一の容器の中に入れて、組織サンプルが所望の時間にわたって試薬と接触した後に、組織サンプルを保管および後の分析のために空の第二の容器に移してもよい。
【００２２】
本発明の別の実施形態において、第一の容器には第一の溶液または試薬、例えば組織固定剤溶液等を入れ、第二の容器には第二の溶液または試薬、例えば核酸安定化溶液等を入れておき、組織サンプルを第一の容器の中に入れて、所望の時間だけ第一の溶液と液体接触させた後、組織サンプルを第二の容器に移し替えて、組織サンプルを第二の容器の中の溶液と液体接触させてもよい。したがって、本発明のシステムによれば、特定のサンプルを２つの異なる環境内に保管するためのメカニズムが得られる。本明細書で紹介する実施形態は、上記の方法のいずれにも使用できる容器ユニットとシステムの代表的な例である。
【００２３】
図面を参照すると、複数の図面を通じて同様の部品は同様の参照番号により指し示されており、図１は、本発明の１つの実施形態による容器ユニット１０を示す。一般に、容器システムつまりユニット１０は、第一の容器１２と、第二の容器３２と、第一の閉鎖手段２２と、第二の閉鎖手段４２と、を備える。容器ユニット１０は一般に、サンプルホルダ５０と共に使用するものと想定されており、サンプルホルダ５０の例を図７Ａ，７Ｂに示す。容器ユニット１０の個々の構成要素は、液体および／または気体に対して不浸透性の好適な材料、例えばガラスおよび／またはプラスチックで作製してもよい。１つの実施形態において、第一の容器１２と第二の容器３２は、代表的な材料であるポリプロピレン、ポリエチレンテレフタレート（ＰＥＴ）、ガラス、またはこれらの組み合せの内の１つまたは複数から作製してもよい。
【００２４】
図２，３に示される第一の容器１２は一般に、開放端１４と、閉鎖端１６と、開放端１４と閉鎖端１６との間に延在して第一の容器内部２０を画定する側壁１８と、を備える。図４，５に示される第二の容器３２もまた一般に、開放端３４と、閉鎖端３６と、開放端３４と閉鎖端３６との間に延在して第二の容器内部４０を画定する側壁３８と、を備える。第一の容器内部２０は第一の予定充填容量を有し、サンプルホルダ５０を受け入れ、収容できる大きさであり、これについては後に詳細に説明する。さらに、第一の容器内部２０は内部側壁面２８ａ，２８ｂを有していてもよく、これらは、閉鎖端１６および側壁１８と共に、サンプルホルダ５０の大きさと形状に略対応する空洞２６を画定する。第二の容器内部４０は、第二の予定充填容量を有し、これは第一の予定充填容量と異なっていても、同じでもよく、第一の容器内部２０に収容されるものと同じサンプルホルダ５０を受け入れ、収容できる大きさである。第一の容器内部２０の場合と同様に、第二の容器内部４０もまた、内部側壁面４８ａ，４８ｂを有していてもよく、これらは、閉鎖端３６および側壁３８と共に、サンプルホルダ５０の大きさと形状に略対応する空洞４６を画定する。
【００２５】
第一の容器１２は、第一の閉鎖端１６に隣接する複数の構造リブ１５を第一の閉鎖端１６の外面上に有していてもよい。リブ１５は第一の閉鎖端１６を横切って延び、複数のリブ１５が中心点１７で出会うようになっていてもよい。このようなリブ１５によって、第一の容器１２は構造的に健全となり、第一の容器１２のための安定した底面が得られ、複数のリブが第一の容器１２のための略平面の表面を形成するため、テーブルの上に立てて置くことができる。さらに、このようなリブ１５により、第一の容器１２の全体的な寸法は、上記のような安定した底面のある、ユーザにとって取り扱いやすいものとなり、取り扱いやすい外部形状でありながら、内部容量空間は小さく保たれて、余分な試薬の使用を避けるために最低限の量で第一の容器１２の中に入れられた液体に、組織サンプルを収容するサンプルホルダ５０を適正に浸漬させることができるようになっている。同様に、第二の容器３２は、中心点３７で出会う複数のリブ３５を有していてもよく、容器システムに使用される第三以降の容器も同様な構造であってもよい。
【００２６】
容器ユニット１０はさらに、図９に示される第一の閉鎖手段２２と、図１０に示される第二の閉鎖手段４２と、を備え、これらは、それぞれ第一の開放端１４と第二の開放端３４を閉鎖する。第一の閉鎖手段２２は第一の容器と結合可能であり、第二の閉鎖手段４２は第二の容器３２と結合可能である。第一の閉鎖手段２２と第一の容器１２との結合方法は、液密状態で密閉できれば、摩擦ばめ、スナップフィット、ねじ係合、噛み合い構造による係合その他、いずれでもよい。好ましくは、第一の閉鎖手段２２は、それぞれ第一の閉鎖手段２２と第一の容器１２とに設けられた１組のねじ山部材２４ａ，２４ｂによって、第一の容器１２とねじ結合可能である。あるいは、対応するねじ係合は、第一の開放端１４の第一の側壁部分における第一の容器１２の内面に設けられた雌ねじと係合するための、第一の閉鎖手段２２の外側に設けられた雄ねじによって実現してもよい。第二の閉鎖手段４２と第二の容器３２との結合方法は、液密状態で密閉できれば、摩擦ばめ、スナップフィット、ねじ係合、噛み合い構造による係合その他、いずれでもよい。１つの実施形態において、第二の閉鎖手段４２は、それぞれ第二の閉鎖手段４２と第二の容器３２とに設けられた第二の１組のねじ山部材４４ａ，４４ｂによって、第二の容器３２とねじ結合可能である。他の実施形態では、第二の閉鎖手段は第二の容器３２の第二の開放端３４に取り付けられた、取り外し可能な膜、例えば剥離フォイル(peel away foil)またはワックス材である。
【００２７】
ある具体的な実施形態において、第一の閉鎖手段２２は第二の容器３２とも結合可能であり、結合すると、第一の閉鎖手段２２は第二の容器３２の第二の開放端３４を閉鎖する。したがって、第一の閉鎖手段２２は第一の容器１２から第二の容器３２に移動させることができ、これがサンプルホルダ５０を第一の容器１２から第二の容器３２に移動させるためのメカニズムとなるが、これについて後に詳しく説明する。第一の閉鎖手段２２は、液密状態を達成できればどのような方法で第二の容器３２と結合してもよいが、好ましくは、第一の閉鎖手段２２は第二の容器３２とねじ結合可能である。この方式では、第一の閉鎖手段２２は、第一の閉鎖手段２２に設けられたねじ山部材２４ａと第二の容器３２に設けられたねじ山部材４４ｂとの係合によって、第二の容器３２と結合する。
【００２８】
容器ユニット１０は、サンプルホルダ５０に収容された生物サンプルを処理するために、サンプルホルダ５０と共に使用されると想定される。サンプルホルダ５０は、第一の容器１２の中に受け入れられるようになされている。サンプルホルダ５０は、診断テスト用のサンプルを準備する際の生物組織サンプルの保管用として当業界で知られているような従来の組織学カセット（「ヒストカセット（histo-cassette）」という）の形態であってもよい。このようなサンプルホルダまたはヒストカセットは、生物試料を後の分析のための準備として流体で処理する間に収容しておくものとして周知である。一般に、このようなサンプルホルダまたはヒストカセットは略長方形であり、平面ハウジング構造が内部空洞を有し、壁面には、流体がハウジングに流れるようにするための複数の開口部がある。多くの場合、取り外し自在または開放自在のカバーが構造を閉鎖し、これは、例えばハウジング構造の一端に沿って設置されて、ドアの様なカバーをハウジング構造に設けるようにするヒンジ等によって行われる。また、上記のようなサンプルホルダまたはヒストカセットには平面が設けられることが多く、これは傾斜していてもよく、ラベル表示や書き込みのための表面となる。こうしたサンプルホルダの寸法は、例えば高さ約０．３インチ（プラスマイナス０．１インチ）、長さ約１．７３インチ（プラスマイナス０．１インチ）、幅約１．１２インチ（プラスマイナス０．１インチ）であってもよい。本発明で有用なサンプルホルダの例は、特許文献２および特許文献３において紹介されており、引用によって両特許を本願に明確に援用する。
【００２９】
例えば、図７Ａ，７Ｂに示されるように、サンプルホルダ５０は、生物組織サンプルを保持するための内部空洞５２を画定する対向壁を備える、略長方形の平面ハウジング５６を有する。ハウジング５６の壁の少なくとも１つは傾斜壁５７のように傾斜していてもよく、ラベルを貼付し、あるいは書き込むための表面を提供し、必要に応じて、サンプルホルダ５０の中のサンプルを識別するための手段となる。サンプルホルダ５０のハウジング５６は閉鎖可能な構造であり、ハウジング５６に取り付けられるヒンジ式のドアの様な構造５５を有していてもよく、これによって組織サンプルを内部空洞５２に保管し、またはそこから組織サンプルを取り出すために、内部空洞５２に手が届くようにすることができる。ドアの様な構造５５をハウジング５６に関して旋回させるためのメカニズムとなるフラップによって、ハウジング５６に連結されたドアの様な構造５５が一体構造となるように、ドアの様な構造５５がハウジング５６と一体的に形成されてもよい。あるいは、ヒンジで連結されたドアの様な構造５５は、例えば旋回点５３を通じてハウジング５６に連結されていてもよく、旋回点５３は、内部空洞５２に手が届くように、ハウジング５６の片側からドアの様な構造５５を開けるためのヒンジとしての役割を果たす。サンプルホルダ５０のハウジング５６は、その中を流体が流れるようになされた少なくとも１つ、好ましくは複数の流体開口部５４を有する。このように、ハウジング５６が第一の容器１２の中に設置されると、第一の容器１２の中の流体は、開口部５４を通って流れ、内部空洞５２の中に収容された生物組織サンプルと接触することが可能である。
【００３０】
前述のように、サンプルホルダ５０は、第一の容器１２の中で使用するための別の要素として提供されてもよく、または容器１０の一部と相互接続されていてもよい。好ましくは、サンプルホルダ５０は第一の閉鎖手段２２と結合する。このように結合させるには、第一の閉鎖手段２２に連結、またはこれと一緒に形成された一体構造としてサンプルホルダ５０を提供してもよく、またサンプルホルダ５０は、第一の閉鎖手段２２と取り外し自在に結合可能、または分離可能に連結される別の構造であってもよい。図８に示されるように、第一の閉鎖手段２２は、第一の閉鎖手段２２の底面から延びる、サンプルホルダ５０を収容するためのプラットフォーム６０を備えていてもよい。プラットフォーム６０は、サンプルホルダ５０を第一の閉鎖手段２２に取り付けられた状態に保持するための構造、例えばスナップフィット係合部等を備えていてもよく、またサンプルホルダ５０はプラットフォーム６０から外すことができてもよい。特に、プラットフォーム６０は、一般的な大きさと形状のサンプルホルダ５０を収容するための長方形の収納部を画定する構造であってもよい。プラットフォーム６０は、サンプルホルダ５０と係合して、サンプルホルダ５０をプラットフォーム６０によって画定される収納部内に保持するための、プラットフォーム６０から延びる少なくとも１つの指状部６２を有していてもよい。このような指状部６２は屈曲可能であってもよく、サンプルホルダ５０の縁辺がプラットフォーム６０の対応する壁面に接触した所定の位置に保持されて、サンプルホルダ５０がプラットフォーム６０の収納部に押し込まれると、指状部６２はサンプルホルダ５０の壁と反対側に反って、その後当初の位置まで戻るため、サンプルホルダ５０は傾斜した壁５７の縁辺と接触した所定の位置にぱちんと嵌め込まれる。指状部６２は、サンプルホルダ５０をプラットフォーム６０と第一の閉鎖手段２２に関して永久的に所定の位置にロックしてもよく、あるいは、希望に応じてサンプルホルダ５０をプラットフォーム６０から取り外せるように屈曲可能でもよい。
【００３１】
プラットフォーム６０はまた、サンプルホルダ５０のハウジング５６がプラットフォーム６０の中に収容されたまま、サンプルホルダ５０のドア５５を開けることができるように、一般的な形状でもよく、これにより、サンプルホルダ５０がプラットフォーム６０の中で第一の閉鎖手段２２に関して所定の位置に保持されている状態で、サンプルホルダ５０の内部空洞５２にアクセスできる。例えば、プラットフォーム６０には、ドア５５の取っ手の様な突出部５８を収容するための壁切り取り部６４があってもよく、プラットフォーム６０の全体的な寸法と壁の高さは、取っ手５８に触ってドア５５を手で開け、ドア５５をプラットフォーム６０の全面にわたって旋回させるのに障害がないように設計されていてもよい。プラットフォーム６０はまた、流体がプラットフォーム６０を通過してサンプルホルダ５０とその中に収容されているサンプルと接触できるようにするための複数の穴６６を有していてもよい。
【００３２】
１つの実施形態において、プラットフォームは、大きさと形状の異なるヒストカセットまたはサンプルホルダを収容できるようにする構造を有していてもよい。例えば、図１１Ａ−１１Ｅに描かれている別の実施形態に示されるように、プラットフォーム６０ａは指状部９０ａ，９２ａを有していてもよく、これらは各種の大きさのサンプルホルダの壁面を支えるための圧縮可能な要素として機能する。このような指状部９０ａ，９２ａは、プラットフォーム６０ａの中に設置されたサンプルホルダの壁表面に対して付勢力を与えるための付勢部材またはリーフスプリングとして機能してもよく、サンプルホルダをプラットフォーム６０ａの側壁に押し付けて、サンプルホルダを所定の場所に保持する。特に、指状部９０ａは、プラットフォーム６０ａの中に収容されたサンプルホルダに付勢力を与え、その一方で、指状部９０ａに対向する面９１ａは、サンプルホルダの端部をプラットフォーム６０ａの中に保持し、指状部または突出部６２ａは、サンプルホルダの別の縁辺をその中に保持する。また、指状部９２ａはサンプルホルダに付勢力を与え、その一方で、指状部９２ａに対向する突出部６２ａは、サンプルホルダの端部を所定の位置に保持する。このような反対向きで同等の力が働くことは、異なる大きさと形状のサンプルホルダを所定の位置に保持するのに役立つ。さらに、壁切り取り部６４ａを設けて、前述のようにサンプルホルダのドアの取っ手部を収容し、その一方で、希望に応じてサンプルホルダがプラットフォーム内の所定の位置にある間に、ドアを開けるために取っ手部にアクセスきるようにしてもよい。このように、容器ユニット１０には、容器ユニット１０で使用するための異なる大きさと形状のヒストカセットを収容できる１つのプラットフォームを設けてもよい。さらに、プラットフォーム６０ａは、上述のように、流体がその中を流れるような複数の穴６６ａを有していてもよい。このような穴６６ａは、プラットフォームからサンプルホルダへの流体の流れがサンプルホルダの大きさ、形状および／または表面形状に関係なく、サンプルホルダの中に保持されているサンプルと十分に接触するようなパターンまたは向きであってもよい。
【００３３】
１つの実施形態において、サンプルホルダ５０は第一の閉鎖手段２２と回転自在に係合し、サンプルホルダ５０が第一の閉鎖手段２２に関して回転する。これを実現するためには、プラットフォーム６０を、例えばリング７０により確立される旋回連結等によって第一の閉鎖手段２２に関して回転できる構造として設け、サンプルホルダ５０をプラットフォーム６０の中に設けてもよい。この方式を図８に示す。特に、リング７０は、第一の閉鎖手段２２の下側表面上の対応する構造と係合するようになされた、略円形の構造であってもよい。このように係合させるには、第一の閉鎖手段２２に少なくとも１つ、好ましくは複数のタブ２３を設け、ここにリング７０を回転係合状態で収容するようにしてもよい。タブ２３は、好ましくは相互に対向した位置に離間させて配置され、閉鎖手段２２の下側表面に周縁回転領域を画定する。リング７０は、タブ２３によって画定される回転領域内に嵌り、リング７０（したがって、プラットフォーム６０およびこれに連結されたサンプルホルダ５０）と、第一の閉鎖手段２２と、の間に回転係合をもたらすようになされている。
【００３４】
リング７０はまた、リング７０の周縁に複数の切り込み７２を有していてもよく、これらは、組み立て時に第一の閉鎖手段２２のタブ２３と位置が合うように設計される。好ましくは、リング７０は第一の閉鎖手段２２のタブ２３の数に対応するように、同じ数の切り込み７２を有する。切り込み７２は組み立て時にタブ２３と位置合わせされもよく、リング７０はタブ２３によって画定される領域内で押し下げられる。リング７０の外周の切り込み７２のある部分の直径は、複数のタブ２３の間に画定される領域の内径より若干大きく、リング７０の位置合わせのためには、切り込み７２が複数のタブ２３の間の位置にある状態でリング７０が押し下げられなければならないようにして、リング７０が軽い締まりばめおよび軽いスナップフィット係合で結合されるようにする。このような嵌合は、切り込み７２とタブ２３を位置合わせし力を入れて閉鎖手段２２からリング７０を引っ張らない限り、リング７０を閉鎖手段２２から取り外せないように、リング７０を第一の閉鎖手段２２に回転自在に取り付けるためのメカニズムとなる。
【００３５】
上記のようにタブ２３によって画定される領域内でリング７０を嵌合させることにより、プラットフォーム６０と第一の閉鎖手段２２が回転連結される。このようにして、サンプルホルダ５０が第一の容器１２または第二の容器３２の中に設置され、例えばねじ式に取り付ける方法などによってサンプルホルダ５０が第一の閉鎖手段２２と回転自在に係合した場合、第一の閉鎖手段２２を回転させると、プラットフォーム６０および／またはサンプルホルダ５０の内の一方または両方が側壁内面２８ａ，２８ｂまたは４８ａ，４８ｂの１つまたは複数と接触し、これによってサンプルホルダ５０は第一の容器１２の空洞２６または第二の容器３２の空洞４６の中の所定の位置に保持される。この方式は、第一の閉鎖手段２２が第一の容器１２および／または第二の容器３２とねじ係合し、その一方で、サンプルホルダ５０およびその中に収容される生物サンプルが、結合中も容器内部の中で安定した状態に保持される点で有利である。さらに、第一の閉鎖手段２２と第一の容器１２は、例えば上述のようなねじ係合を通じて、係合位置と離脱位置とを有し、第一の閉鎖手段２２を第一の容器１２に取り付け、または第一の容器１２から外すために、閉鎖手段２２を第一の容器１２に関して回転的に位置付けることができる。確実に正しい方位とするために、第一の閉鎖手段２２が第一の容器１２と係合しない離脱位置から、それが第一の容器１２と係合してこれに取り付けられる係合位置へ移動する前に、プラットフォーム６０を第一の容器１２の空洞２６の中で正しく位置合わせしなければならないように、第一の閉鎖手段２２が方位を含んでもよい。プラットフォーム６０を第一の閉鎖手段２２に関して回転させることによって、このような位置に合わせ、および係合をもたらすことができる。１つの実施形態において、第一の閉鎖手段２２は、第一の閉鎖手段２２が第一の容器１２の開放端１４から外れる離脱位置から、第一の閉鎖手段２２が第一の容器１２の開放端１４を閉鎖する係合位置に移動できる。第一の閉鎖手段２２を離脱位置から係合位置に移動するには、プラットフォーム６０を容器内部２０のサンプルホルダ用空洞の中に何の障害もなく入れることができるように、プラットフォーム６０の位置を容器内部２０のサンプルホルダ用空洞に合わせなければならない。別の構成では、容器内部２０に関するプラットフォーム６０の方位は、第一の容器１２に関して第一の閉鎖手段２２を回転させている間、略一定したままに保たれる。
【００３６】
容器ユニット１０の他の態様は、第一の容器１２と第二の容器３２の間の差別化に関する。その最良の実現方法は、容器の内の少なくとも１つに視覚的標識（複数の場合もある）を配置することである。標識は、第一の容器１２または第二の容器３２のいずれかの、使用者にとって見やすいどの場所に配置してもよい。１つの実施形態において、標識は第一の閉鎖手段２２に配置される。別の実施例では、標識は第二の閉鎖手段４２に配置される。標識はまた、第一の容器１２または第二の容器３２のいずれかの側壁に配置することができる。例えば、標識の形態は、数字、１本の線もしくは線の集合、または色であってもよい。標識はまた、第二の容器３２の第二の開放端３４を覆う膜と一体形成してもよい。他の実施形態において、第一の容器１２は着色された材料で形成され、第二の容器３２は異なる色に着色された材料で形成される。
【００３７】
第一の容器内部２０と第二の容器内部４０は、同一のサンプルホルダ５０を続けて受け入れるような寸法である。この方式の恩恵により、使用者は、サンプルホルダ５０を第一の容器内部２０から第二の容器内部４０に移動させることができる。さらに、サンプルホルダ５０を第一の閉鎖手段２２に連結させた状態で提供することにより、第一の閉鎖手段２２を第一の容器１２から外し、引き続いて第二の容器３２（および、同様にしてさらにまた別の容器）に取り付けることができるため、第一の容器１２、第二の容器３２、および、これに続く容器がいくつあっても、その中に入れるためのサンプルホルダ５０を収容する閉鎖手段は１つだけでよい。
【００３８】
前述したように、第一の容器内部２０と第二の容器内部４０には、それぞれ第一の媒体と第二の媒体を入れることができる。１つの実施形態において、第一の容器内部２０は、空であって、サンプルホルダ５０を第二の容器内部４０に挿入する前に、サンプルホルダ５０を格納または保留しておく(staging)ための空間の役割を果たす。別の実施形態では、第一の容器内部２０には第一の試薬が収容され、第二の容器内部４０には第二の試薬が収容され、第一の試薬は第二の試薬と異なる。容器ユニット１０は、製造地点において、溶液または試薬等の液体媒体を第一の容器１２および／または第二の容器３２の中に入れた状態で組み立てられて提供されてもよい。あるいは、上記のような液体媒体は、使用前のいずれかの時点、例えば組織サンプルをサンプルホルダ５０に挿入する直前等ににおいて、第一の容器１２および／または第二の容器３２に充填してもよい。
【００３９】
より詳しくは、容器ユニット１０は、１試薬システム用として提供してもよい。このようにして、１つの試薬溶液、例えば、ホルマリンのような組織固定剤を第二の容器３２の中に入れてもよい。こうした固定剤溶液は、分子診断テストを行うために、組織サンプル内のＲＮＡを安定化させる。あるいは、容器ユニット１０は、２溶液または２試薬システム用として提供してもよい。例えば、洗浄液を第二の容器３２に入れ、サンプルホルダ５０が第一の容器１２の中で第一の固定剤試薬に浸漬された後に、サンプルホルダ５０から第一の試薬を洗い落とすようにしてもよい。また、各容器に同じ試薬を入れることも可能であり、これはある程度の時間が経過した後に同じ試薬を新しいものに替えることが有利かもしれないからである。あるいは、第一の試薬溶液、例えばホルマリンのような組織固定剤を第一の容器１２の中で使用し、第二の試薬溶液、例えば組織サンプルの形態を安定化させるための核酸安定化試薬等の安定化剤を第二の容器３２の中に入れてもよい。
【００４０】
本発明の容器には、どのような試薬でも使用できる。例えば、固定剤は、ホルマリン、エタノール溶液、カルノア液Ｉ（エタノール、酢酸）、カルノア液ＩＩ（エタノール、クロロホルム、酢酸）、ｍｅｔｈａｃａｒｎ（メタノール、クロロホルム、酢酸）、Ｃｌａｒｋの固定剤、Ｂｏｏｎｆｉｘ等のいずれでもよい。市販されている固定剤としては、これらが全てではないが、ＭＩＲＳＫＹ’Ｓ  ＦＩＸＡＴＩＶＥ（ジョージア州アトランタのＮａｔｉｏｎａｌ  Ｄｉａｇｎｏｓｔｉｃｓ社が販売）、ＧＬＹＯＦＩＸ（ペンシルバニア州ピッツバーグのＳｈａｎｄｏｎ  Ｌｉｐｓｈａｗ社が販売）、ＨＩＳＴＯＣＨＯＩＣＥ（登録商標）（Ａｍｒｅｓｃｏが販売）、ＨＩＳＴＯＦＩＸ（ミネソタ州ニューブライトンのＴｒｅｎｄ  Ｓｃｉｅｎｔｉｆｉｃが販売）、ＫＲＹＯＦＩＸ（登録商標）（Ｍｅｒｃｋが販売）、ＭＩＣＲＯＦＩＸ（コネチカット州イーストグランベリのＥｎｅｒｇｙ  Ｂｅａｍ  Ｓｃｉｅｎｃｅｓ社が販売）、ＮＥＯＦＩＸ（Ｍｅｒｃｋが販売）、ＮＯＴＯＸ（ニュージャージ州ベルミードのＥａｒｔｈ  Ｓａｆｅ  Ｉｎｄｕｓｔｒｉｅｓ社が販売）、ＯＭＮＩＦＩＸ  ＩＩおよびＯＭＮＩＦＩＸ  ２０００（ニューヨーク州メルヴィルのＡｎＣｏｎ  Ｇｅｎｅｔｉｃｓ社が販売）、ＰＲＥＦＥＲ（ミシガン州バトルクリークのＡｎａｔｅｃｈ社が販売）、ＰＲＥＳＥＲＶＥ（コネチカット州イーストグランベリのＥｎｅｒｇｙ  Ｂｅａｍ  Ｓｃｉｅｎｃｅｓ社が販売）、ＳＡＦＥＦＩＸ  ＩＩ（Ｔｈｅｒｍｏ  Ｆｉｓｃｈｅｒ  Ｓｃｉｅｎｔｉｆｉｃ社が販売）、ＳＴＡＴＦＩＸ（テキサス州ルイスヴィルのＳｔａｔＬａｂ  Ｍｅｄｉｃａｌ  Ｐｒｏｄｕｃｔｓ社が販売）、Ｓ．Ｔ．Ｆ．（登録商標）（ニューイングランド州オマハのＳｔｒｅｃｋ  Ｌａｂｏｒａｔｏｒｉｅｓが販売）、ＵＭＦＩＸ（カリフォルニア州トランスのＳａｋｕｒａ  Ｆｉｎｅｔｅｃｋ  ＵＳＡ社が販売）、ＦＩＮＥＦＩＸ（コネチカット州シェルトンのＭｉｌｅｓｔｏｎｅ  Ｍｅｄｉｃａｌが販売）等がある。市販されている安定化剤には、これらに限定されないが、ＲＮＡＬＡＴＥＲ（登録商標）（テキサス州オースティンのＡｍｂｉｏｎ社が販売）、ＲＮＥＡＳＹ（カリフォルニア州ヴァレンシアのＱｉａｇｅｎ社が販売）等がある。固定剤および／または安定化剤として使用される既存、または今後発見される他の試薬は、全て本発明に有益であるものとする。
【００４１】
容器ユニット１０は、第一の容器１２と、第二の容器３２と、第一の閉鎖手段２２と、第二の閉鎖手段４２と、を含む部品キットとして販売することができる。この方式では、使用者が各容器にどの溶液（複数の場合もある）を入れるかを決定できる。あるいは、容器ユニット１０は、生物サンプルを保存するためのより複雑なシステムの一部として販売してもよく、それは、第一の容器１２の中に入った第一の溶液および／または第二の容器３２の中に入った第二の溶液を含む。この実施形態において、第二の溶液は、第一の溶液と同じでも違ってもよい。
【００４２】
容器ユニット１０の基本的な使用方法は、当業者であれば分かるように、所望の生物サンプルをサンプルホルダ５０の中に入れるステップと、次に、例えばサンプルホルダ５０の取り付けられた第一の閉鎖手段２２を第一の容器１２に取り付けることによって、サンプルホルダ５０を第一の容器内部２０の中に挿入するステップを含む。これを実現するために、空洞２６内の側壁面２８ａ，２８ｂによって作られるサンプルホルダ用空洞の上に、サンプルホルダ５０が取り付けられている状態のプラットフォーム６０を位置合わせし、第一の容器１２に対して第一の閉鎖手段２２を回転させ、これによって、第一の閉鎖手段２２が例えばねじ係合によって第一の容器１２と係合するようにしてもよく、その間、プラットフォーム６０は第一の閉鎖手段２２に関して回転し、サンプルホルダはほとんど、または全く回転運動することなく、空洞２６の中に保たれる。そうする中で、サンプルホルダ５０の中の組織サンプル容器は、第一の容器１２の中に入っている溶液、例えば第一の試薬と接触する状態に置かれる。生物組織サンプルが第一の容器内部２０の中の試薬と十分に接触した後に、使用者は、サンプルホルダ５０を第一のチャンバ内部２０から第二のチャンバ内部４０に移動させる。これを実現するためには、第二の容器から第二の閉鎖手段（これは、取り外し可能な膜であってもよい）を取り除いてから、第一の閉鎖手段２２を第一の容器１２から第二の容器３２に移動させる。この時点で第一の閉鎖手段２２は第二の容器３２に取り付けられ、組織サンプルを収容するサンプルホルダ５０は第二の容器内部４０と接触した状態に置かれ、第二の容器内部４０にも試薬が入っていてもよく、好ましくは、第一の容器１２の中とは異なる試薬である。サンプルホルダ５０は第一の閉鎖手段２２と結合した状態にあり、使用者は、サンプルホルダ５０が第一の閉鎖手段２２と結合した後、サンプルホルダ５０に直接接触することなく、サンプルホルダ５０を第一の容器内部２０と第二の容器内部４０の間で移動させる間、第一の閉鎖手段２２だけに接触する。この特徴は、保存中に生物サンプルが汚染される可能性をなくすのに役立つ。
【００４３】
本発明の実施形態は多くの異なる形態で実現できるが、本発明の具体的な実施形態が図面に示され本明細書に詳細に説明されており、本開示内容は、本発明の原理の例として考えられるべきであり、本発明を図面に示された実施形態に限定するものではないと理解する。当業者にとって、本発明の範囲と精神から逸脱することなく、これら以外のさまざまな実施形態は明らかであり、容易に考案されるであろう。例えば、本願の開示では全般に２個組の容器システムについて説明したが、このシステムの実施形態では、異なる試薬を収容するためのより多くの容器、例えば３個または４個の容器を備えてもよいことが想定される。本発明の範囲は、付属の特許請求範囲およびこれと同等物により判断される。
【図１】
2011501197.tif 000003
【図２】
2011501197.tif 000004
【図３】
2011501197.tif 000005
【図４】
2011501197.tif 000006
【図５】
2011501197.tif 000007
【図６】
2011501197.tif 000008
【図７Ａ】
2011501197.tif 000009
【図７Ｂ】
2011501197.tif 000010
【図８】
2011501197.tif 000011
【図９】
2011501197.tif 000012
【図１０】
2011501197.tif 000013
【図１１Ａ】
2011501197.tif 000014
【図１１Ｂ】
2011501197.tif 000015
【図１１Ｃ】
2011501197.tif 000016
【図１１Ｄ】
2011501197.tif 000017
【図１１Ｅ】
2011501197.tif 000018
【国際調査報告】
2011501197.tif 000019
2011501197.tif 000020
2011501197.tif 000021
2011501197.tif 000022
2011501197.tif 000023